(57)【要約】      （修正有）【課題】スライド手段を構成する多数のスライドプレートの製作コストを低減でき、且つ、これら多数のスライドプレートで構成されるスライド手段を、外側ブームの先端部の下部内側に確実に定位するための移動規制手段を備えた外側ブーム先端下部スライド支持装置を提供する。【解決手段】スライド手段４を、各先端端面を外側ブームの先端端面に略一致させると共に各幅方向側縁を互いに近接させて外側ブーム１の内周方向に連続配置した多数の直方体短冊状のスライドプレート単位体４ａで構成すると共に、移動規制手段５を、先端側移動規制具６、基端側移動規制具７、および、横側移動規制具８で構成した。【選択図】図３
2005255337.tif 000002
【特許請求の範囲】
【請求項１】
略U字状の下部形状を持つ筒状の外側ブーム内に同様の下部形状を持つ筒状の内側ブームを伸縮自在に嵌挿してなる移動式クレーン等の伸縮ブームの、前記外側ブームの先端部に配置されて前記内側ブームの下部外側面に摺接して内側ブームをスライド自在に支持する外側ブーム先端下部スライド支持装置であって、
前記外側ブーム先端部の下部内側に配置され対向する内側ブームの下部外周面に摺接するスライド手段と、当該スライド手段を外側ブーム先端部の下部内側に定位する移動規制手段とで構成したものにおいて、
前記スライド手段を、各先端端面を外側ブームの先端端面に略一致させると共に各幅方向側縁を互いに近接させて外側ブームの内周方向に連続配置した多数の直方体短冊状のスライドプレート単位体で構成すると共に、
前記移動規制手段を、前記スライドプレート単位体の先端端面に当接するよう、外側ブームの先端部外周に配置した外側ブーム先端補強カラーに取り外し自在に取り付けられた先端側移動規制具と、
前記各スライドプレート単位体の基端端面に当接するようにして、外側ブーム先端部下部内奥に配置した基端側移動規制具と、
外側ブームの内周方向に連続配置に係る多数の直方体短冊状のスライドプレート単位体のうち、最外側に位置するスライドプレート単位体の側面に当接するようにして外側ブームの先端部内側に固定配置した一対の横側移動規制具
とでもって構成したことを特徴とする移動式クレーン等の伸縮ブームにおける外側ブーム先端下部スライド支持装置。
【請求項２】
移動規制手段における基端側移動規制具が、外側ブームの略Ｕ字状の下部形状に沿うよう屈曲形成されその先端側縁面が前記各スライドプレート単位体の基端端面に当接するよう外側ブーム内に配置される湾曲金具と、外側ブームの下部内面に当該外側ブームの周方向に散在して溶接固着された複数のリテーナであってその先端側端面が前記湾曲金具の基端側端面に当接する複数のリテーナで構成されていることを特徴とする請求項1記載の移動式クレーン等の伸縮ブームにおける外側ブーム先端下部スライド支持装置。
【請求項３】
スライド手段を構成する各スライドプレート単位体が、その基端部における外側ブーム当接側に切り欠き部を具備して構成されており、前記湾曲金具は、その少なくとも一部がこれら切り欠き部と外側ブーム内面間に位置し、その外側ブーム内面からの離脱が各スライドプレート単位体により規制されるよう構成してあることを特徴とする請求項2記載の移動式クレーン等の伸縮ブームにおける外側ブーム先端下部スライド支持装置。
【発明の詳細な説明】
【技術分野】
【０００１】
本発明は、移動式クレーン等すなわち移動式クレーンあるいは高所作業車に用いられる伸縮ブームにおける外側ブーム先端スライド支持装置に関するものである。
【背景技術】
【０００２】
移動式クレーン等の伸縮ブームは、筒状の外側ブーム内に同じく筒状の内側ブームを順次伸縮自在に嵌挿してなり、その基端部（最外側ブームの基端部）を車両上に水平旋回自在に搭載した旋回台に起伏自在に取り付けられ、その先端側で荷重を支持するようになっている。伸縮ブームの先端側に作用する荷重は主として伸縮ブームを倒伏させる方向に作用するので、外側ブームと内側ブーム間には、少なくとも、外側ブームの先端部に配置されて前記内側ブームの下部外側面に摺接して内側ブームをスライド自在に支持する外側ブーム先端下部スライド支持装置と、内側ブームの基端部に配置されて外側ブームの上部内側面に摺接する内側ブーム基端上部スライド支持装置が取り付けられている。
【０００３】
この種の伸縮ブームにおいては、比較的（内側ブーム基端上部スライド支持装置に作用する支持力に対して）大きな支持力が作用する外側ブーム先端下部スライド装置に、内側ブームの下部外面が広範囲に密着支持されるようにするため、外側ブームおよび内側ブームはその下部形状（伸縮ブームの長手軸心に直交する断面の下部形状）が変形しやすい略Ｕ字状に構成したものが近年多用されている。下部形状を略Ｕ字状に構成した外側ブームおよび内側ブームは、外側ブーム先端下部スライド装置により内側ブーム下部外面が支承された際、外側ブームおよび内側ブームの該当する下部形状が変形して、内側ブーム下部外面の外側ブーム先端下部スライド支持装置への広範囲な密着が達成できるためである。
【０００４】
本発明は、このような伸縮ブームに用いられる外側ブーム先端下部スライド支持装置、すなわち、略U字状の下部形状を持つ筒状の外側ブーム内に同様の下部形状を持つ筒状の内側ブームを伸縮自在に嵌挿してなる移動式クレーン等の伸縮ブームの、前記外側ブームの先端部に配置されて前記内側ブームの下部外側面に摺接して内側ブームをスライド自在に支持する外側ブーム先端下部スライド支持装置、特に、外側ブーム先端部の下部内側に配置され対向する内側ブームの下部外周面に摺接するスライド手段と、当該スライド手段を外側ブーム先端部の下部内側に定位する移動規制手段とで構成された外側ブーム先端下部スライド支持装置に関するものである。
【０００５】
特開平１１−１５７７７９号公報には、略U字状の下部形状を持つ筒状の外側ブーム内に同様の下部形状を持つ筒状の内側ブームを伸縮自在に嵌挿してなる移動式クレーン等の伸縮ブームにおける外側ブーム先端下部スライド支持装置が示されている。
【０００６】
ここには、外側ブーム先端部の下部内側に配置されて対向する内側ブームの下部外周面に摺接するスライド手段を、各幅方向側縁を互いに近接させて外側ブームの内周方向に連続配置した多数のスライドプレートで構成したものが示されている。
【０００７】
しかしながら、ここに示された多数のスライドプレートは、それぞれが、外側ブームおよび内側ブームの略Ｕ字状の下部形状部分を広範囲にカバーしており、それが装備される外側ブームと内側ブーム間の形状に応じた湾曲形状に応じて個別に形成する必要があり、その製作が煩雑でコスト高になるという問題がある。
【０００８】
また、この特開平１１−１５７７７９号公報には、スライド手段を外側ブーム先端部の下部内側に確実に定位するための移動規制手段は何ら開示されていない。なお、ここでは、外側ブームと内側ブームとの挟持作用によりスライド手段を定位させることが示唆されているものの、この挟持力による定位には確実性がないという問題がある。
【特許文献１】特開平１１−１５７７７９
【発明の開示】
【発明が解決しようとする課題】
【０００９】
本発明は、上記の問題点を解決した伸縮ブームにおける外側ブーム先端下部スライド支持装置、すなわち、スライド手段を構成する多数のスライドプレートの製作コストを低減でき、且つ、これら多数のスライドプレートで構成されるスライド手段を、外側ブームの先端部の下部内側に確実に定位するための移動規制手段を備えた外側ブーム先端下部スライド支持装置を提供することを目的とするものである。
【課題を解決するための手段】
【００１０】
本発明の請求項１に係る外側ブーム先端下部スライド支持装置は、略U字状の下部形状を持つ筒状の外側ブーム内に同様の下部形状を持つ筒状の内側ブームを伸縮自在に嵌挿してなる移動式クレーン等の伸縮ブームの、前記外側ブームの先端部に配置されて前記内側ブームの下部外側面に摺接して内側ブームをスライド自在に支持する外側ブーム先端下部スライド支持装置であって、
前記外側ブーム先端部の下部内側に配置され対向する内側ブームの下部外周面に摺接するスライド手段と、当該スライド手段を外側ブーム先端部の下部内側に定位する移動規制手段とで構成したものにおいて、
前記スライド手段を、各先端端面を外側ブームの先端端面に略一致させると共に各幅方向側縁を互いに近接させて外側ブームの内周方向に連続配置した多数の直方体短冊状のスライドプレート単位体で構成すると共に、
前記移動規制手段を、前記各短冊状スライドプレート単位体の先端端面に当接するよう、外側ブームの先端部外周に配置した外側ブーム先端補強カラーに取り外し自在に取り付けられた先端側移動規制具と、
前記各短冊状スライドプレート単位体の基端端面に当接するようにして、外側ブーム先端部下部内奥に配置した基端側移動規制具と、
外側ブームの内周方向に連続配置に係る多数の短冊状スライドプレート単位体のうち、最外側に位置する短冊状スライドプレート単位体の側面に当接するようにして外側ブームの先端部内側に固定配置した一対の横側移動規制具とでもって構成したものである。
【００１１】
また、本発明の請求項２に係る外側ブーム先端下部スライド支持装置は、上記請求項１に従属するもので、その移動規制手段における基端側移動規制具が、外側ブームの略Ｕ字状の下部形状に沿うよう屈曲形成されその先端側縁面が前記各スライドプレート単位体の基端端面に当接するよう外側ブーム内に配置される湾曲金具と、外側ブームの下部内面に当該外側ブームの周方向に散在して溶接固着された複数のリテーナであってその先端側端面が前記湾曲金具の基端側端面に当接する複数のリテーナで構成されていることを特徴とするものである。
【００１２】
更に、本発明の請求項３に係る外側ブーム先端下部スライド支持装置は、上記請求項２に従属するもので、スライド手段を構成する各スライドプレート単位体が、その基端部における外側ブーム当接側に切り欠き部を具備して構成されており、前記湾曲金具は、その少なくとも一部がこれら切り欠き部と外側ブーム内面間に位置し、その外側ブーム内面からの離脱が各スライドプレート単位体により規制されるよう構成してあることを特徴とするものである。
【発明の効果】
【００１３】
上記の如く構成した本発明の請求項１に係る伸縮ブームにおける外側ブーム先端下部スライド支持装置によれば、スライド手段を構成する多数のスライドプレートのそれぞれを、簡単な構成の直方体短冊状のスライドプレート単位体で構成することができるので、その製作コストを低減できるという効果がある。
【００１４】
また、連続配置に係る多数のスライドプレート単位体の外側ブームに対する移動規制は、
上記した先端側移動規制具、基端側移動規制具、および、横側移動規制具とで構成した移動規制手段により確実に行われるのである。
【００１５】
更に、移動規制手段における先端側移動規制具を外側ブーム先端部外周に溶接固着した補強カラーから取り外すことで、各スライドプレート単位体を、外側ブーム先端側から挿入あるいは抜き取ることができるので、スライドプレート単位体の組み付けあるいはメンテナンス作業を容易に行うことができるという効果がある。
【００１６】
また、上記の如く構成した本発明の請求項２に係る伸縮ブームにおける外側ブーム先端下部スライド支持装置によれば、本発明の請求項１に係る上記効果に加え、基端側移動規制具の外側ブーム内周への溶接固着（基端側移動規制具の構成要素たる複数のリテーナーの溶接固着）域を少なくすることがでるという効果がある。
【００１７】
更に、上記の如く構成した本発明の請求項３に係る伸縮ブームにおける外側ブーム先端下部スライド支持装置によれば、本発明の請求項１および請求項２に係る上記効果に加え、基端側移動規制具における湾曲金具の外側ブーム内面からの離脱を、各スライドプレート単位体の基端部に切り欠き部を設けるという簡単な構成により実現できるので、湾曲状金具による内側ブーム外周面の損傷を回避することができるという効果がある。
【発明を実施するための最良の形態】
【００１８】
下記実施例の中で説明する。
【実施例】
【００１９】
以下本発明の移動式クレーン等の伸縮ブームにおける外側先端下部スライド支持装置の実施例を、図１ないし図８に基づいて説明する。
【００２０】
図１は本発明の外側ブーム先端下部スライド支持装置を装備した伸縮ブームの側面図、
図２は図１のＡ−Ａ矢視断面拡大図、図３は外側ブーム先端部の拡大断面図、図４は図３に示す外側ブーム先端部の分解図、図５は図３のＢ−Ｂ矢視断面拡大図、図６はスライドプレート単位体の平面図、図７はスライドプレート単位体の側面図、図８はスライドプレート単位体の先端端面図である。
【００２１】
移動式クレーン等の伸縮ブームは、図１に示すように外側ブーム１内に内側ブーム２を伸縮自在に嵌挿している。本発明の外側ブーム先端下部スライド支持装置の装備対象の伸縮ブームは、上述したように、略Ｕ字状の下部形状を持つ筒状の外側ブーム内に同様の下部形状を持つ筒状の内側ブームを伸縮自在に嵌挿したものである。
【００２２】
略Ｕ字状の下部形状を持つ外側ブームは、図１ないし図５に示すように、断面が略Ｕ字状となるよう折り曲げ形成した下部構成板材１ａの左右両側縁に、角張った逆Ｕ字に折り曲げ形成された上部構成板材１ｂの左右両側縁をそれぞれ溶接接合して筒状に構成されている。また、略Ｕ字状の下部形状を持つ内側ブームは、図１ないし図３および図５に示すように、断面が略Ｕ字状となるよう折り曲げ形成された下部構成板材２ａの左右両側縁に、角張った逆Ｕ字状に折り曲げ形成された上部構成板材２ｂの左右両側縁をそれぞれ溶接接合して筒状に構成されている。そして外側ブーム１および内側ブーム２は、伸縮ブームの幅方向中心面に対して面対称の構成を持つ。
【００２３】
外側ブーム１の先端部の外周には、外側ブーム１の先端部を補強するための外側ブーム先端補強カラー１ｃが取り付けられている。
【００２４】
本実施例においては、外側ブーム１の下部構成板材１ａは、底部に中央水平平坦部１ａ−１を持つ略Ｕ字状に折り曲げ形成されたものが用いられている。中央水平平坦部１ａ−１から下部構成板材１ａの左右縁部に至る部分には、それぞれ連続的に上方に折り曲げられた弧状屈曲部１ａ−２が配置されている（図２および図５参照）。また、内側ブーム２の下部構成板材２ａについても、同様に、底部に中央水平平坦部２ａ−１を持つ略Ｕ字状に折り曲げ形成されたものが用いられている。中央水平平坦部２ａ−１から下部構成板材２ａの左右側縁に至る部分には、それぞれ連続的に上方に折り曲げられた弧状屈曲部２ａ−２が配置されている（図２および図５参照）。
【００２５】
伸縮ブームの外側ブーム１先端部の下部には、内側ブーム２の下部外周面を摺動自在に支持する外側ブーム先端下部スライド支持装置３が配置されている。この実施例では、外側ブーム先端下部スライド支持装置３は、外側ブーム１の下部構成板材１ａにおける左右の弧状屈曲部１ａ−２，１ａ−２と、対応する内側ブーム２の下部構成板材２ａの左右の弧状屈曲部２ａ−２，２ａ−２との間にそれぞれ配置されている。各外側ブーム先端下部スライド支持装置３，３は、伸縮ブームの幅方向中心面に対して面対象の構成を持つものであるから、以下、一方の外側ブーム先端下部スライド支持装置３（図２および図５において左側に位置するもの）について説明する。
【００２６】
（外側ブーム先端スライド支持装置３について）
図２ないし図５に示すように、外側ブーム先端下部スライド支持装置３は、外側ブーム１先端部の下部内側に配置され対向する内側ブーム２の下部外周面に摺接するスライド手段４と、当該スライド手段４を外側ブーム１先端部の下部内側に定位する移動規制手段５とで構成された外側ブーム先端下部スライド支持装置３が配置されている。
【００２７】
（スライド手段４について）
前記スライド手段４は、外側ブーム１の下部構成板材１ａの弧状屈曲部１ａ−２（図２および図５において中央平坦部１ａ−１の左側に位置する弧状屈曲部）の内側に配置され対向する内側ブーム２の下部構成板材２ａの下部外周面（図２および図５において中央平坦部２ａ−１の左側に位置する弧状屈曲部の外周面）に摺接するものである。
【００２８】
このスライド手段４は、多数の直方体短冊状のスライドプレート単位体４ａで構成している。各スライド手段４を構成する各スライドプレート単位体４ａは、各先端端面を外側ブーム１の先端端面（外側ブーム１の下部構成板材１ａの先端端面）に略一致させると共にその幅方向側縁を互いに近接させて外側ブーム１の下部構成板材１ａの弧状屈曲部１ａ−２（図２および図５において中央水平平坦部１ａ−１の左側に位置する弧状屈曲部）の内側に連続配置している。
【００２９】
直方体短冊状の各スライドプレート単位体４ａは、その全長および厚さを同一寸法に構成している。また、その幅寸法は、外側ブーム１の下部構成板材１ａの弧状屈曲部１ａ−２（図２および図５において中央水平平坦部１ａ−１の左側に位置する弧状屈曲部）の内側に連続配置した際に、これらスライドプレート単位体４ａの着座面が外側ブーム１の下部構成板材１ａの前記弧状屈曲部１ａ−２の内面に馴染み、且つ、スライド面が内側ブーム２の弧状屈曲部２ａ−２に馴染むことができる小さな寸法となっている。
【００３０】
図示の実施例では、外側ブーム１の弧状屈曲部１ａ−２および内側ブーム２の弧状屈曲部２ａ−２が、単一の曲率半径を持つ円弧状に形成されているので、これら弧状屈曲部１ａ−２および２ａ−２の屈曲領域に配置される各スライドプレート単位体４ａの幅寸法は同一のものとなっている。また、外側ブーム１の下部構成板材１ａの側縁部、および、内側ブーム２の下部構成板材２ａの側縁部は、鉛直に立ち上がった平坦部を持っているので、ここに配置されたスライドプレート単位体４ａの幅寸法は、比較的大きなものとしている。
【００３１】
（移動規制手段５について）
スライド手段４は、上述したように、多数のスライドプレート単位体４ａをこれらスライドプレート単位体の各先端端面を外側ブーム１の下部構成板材１ａの先端端面に略一致させると共にその幅方向側縁を互いに近接させて外側ブーム１の下部構成板材１ａの弧状屈曲部１ａ−２の内側に連続配置したものであるが、このスライド手段４は、外側ブーム１に取り付けた移動規制手段５により外側ブーム１の配置位置に定位されるようになっている。
【００３２】
この移動規制手段５は、スライド手段４の先端側（伸縮ブームの先端側）への移動を規制する先端側移動規制具６と、スライド手段４の基端側への移動を規制する基端側移動規制具７と、スライド手段４の横方向（外側ブーム１の内周方向）への移動を規制する横側移動規制具８とで構成されている。
【００３３】
（移動規制手段５における先端側移動規制具６について）
前記先端側移動規制具６は、スライド手段４の構成単位たる各スライドプレート単位体４ａの先端端面に当接するようにして外側ブーム先端補強カラー１ｃに（複数の取り付けボルト６ａを介して）取り外し自在に取り付けられている。この先端側移動規制具６は、これを外側ブーム先端補強カラー１ｃの前面に取り付けた状態（図２および図３の状態）では、内側ブーム２の外面には接触することなく、各スライドプレート単位体４ａの先端端面に当接して、これらスライドプレート単位体４ａが外側ブーム１の先端側へ移動するのを規制できる形状の鋼板で構成している。
【００３４】
（移動規制手段５における基端側移動規制具７について）
また、前記基端側移動規制具７は、スライド手段４の構成単位たる各スライドプレート単位体４ａの基端端面に当接するようにして外側ブーム先端下部内奥に配置されており、スライド手段４の各スライドプレート単位体４ａの外側ブーム１の基端側への移動を規制するものである。この基端側移動規制具７の外側ブーム１内面からの突出量は、外側ブーム１に伸縮自在に嵌挿された内側ブーム２の外面に接触しないよう各スライドプレート単位体４ａの厚さよりも小さくしている。
【００３５】
本実施例では、図３ないし図５に示す如く、基端側移動規制具７を、外側ブーム１の略Ｕ字状の下部形状（外側ブーム１の下部構成板材１ａの弧状屈曲部２ａ−２の形状）に沿うよう屈曲形成されその先端側縁面が各スライドプレート単位体４ａの基端端面に当接するよう外側ブーム１内に配置される湾曲金具７ａと、外側ブームの下部内面に当該外側ブームの周方向に散在して溶接固着された複数のリテーナであってその先端側端面が前記屈曲金具の基端側端面に当接する複数のリテーナ７ｂで構成とでもって構成している。このような基端側移動規制具７は、本発明の請求項２に該当する構成であって、基端側移動規制具の外側ブーム内周への溶接固着（基端側移動規制具の構成要素たる複数のリテーナーの溶接固着）域を少なくすることがでるという効果を持つものである。
【００３６】
なお、基端側移動規制具７は、スライド手段４の構成単位たる各スライドプレート単位体４ａの基端端面に後方（伸縮ブームの基端側）から当接するよう、スライド手段４を構成する多数のスライドプレート単位体の連続配置域に渡って外側ブーム１の先端部下部内奥に配置したものであればよく、上述した屈曲金具７ａと複数のリテーナ７ｂで構成したものに限らず、たとえば、上記連続配置域に渡り外側ブーム１先端部内奥に溶接にて固定配置したリテーナのみで構成しもよい。
【００３７】
更に、本実施例では、基端側移動規制具７における湾曲金具７ａの外側ブーム１内面からの離脱を阻止するために次のごとき構成を採用している。すなわち、スライド手段４を構成する各スライドプレート単位体４ａは、その基端部における外側ブーム１当接側に切り欠き部４ａ−１を具備しており、前記湾曲金具７ａが、連続配置にかかる多数のスライドプレート単位体４ａの切り欠き部４ａ−１内に位置するように配置されている。その結果、湾曲金具７ａは、外側ブーム１内面からの離脱が各スライドプレート単位体４ａにより規制されるようになっている。なお、この実施例では、湾曲金具７ａの幅方向（伸縮ブームの長手方向）全域が前記切り欠き部４ａ−１内に収まるようになっているが、幅方向の一部が前記切り欠き部に収まるようにしても、湾曲金具７ａの外側ブーム１内面からの離脱を規制できることに変わりはない。
【００３８】
湾曲金具７ａの外側ブーム１内面からの離脱を規制するためのこのような構成は、本発明の請求項３に係る構成である。
【００３９】
（移動規制手段５における横側移動規制具８について）
また、前記横側移動規制具８は、外側ブーム１の先端下部内側（下部構成部材１ａの弧状屈曲部１ａ−２内側）に連続配置した多数のスライドプレート単位体４ａのうち最外側に位置するスライドプレート単位体４ａの外側面に当接するようにして外側ブーム１の先端部内側に固定配置した左右一対のストッパー８ａ，８ａで構成されており、連続配置された多数のスライドプレート単位体４ａからなるスライド手段４の外側ブーム１内周の方向への移動を規制するものである。この横側移動規制具８を構成する左右一対のストッパー８ａ，８ａの外側ブーム１内面からの突出量は、外側ブーム１に伸縮自在に嵌挿された内側ブーム２の外面に接触しないよう各スライドプレート単位体４ａの厚さよりも小さくしている。
【００４０】
本実施例では、横側移動規制具８を構成する左右一対のストッパー８ａ，８ａのうち、
水平平坦部１ａ−１側に固定配置されるストッパー８ａは、その基端部が基端側移動規制具７における湾曲金具７ａの水平平坦部１ａ−１側端面にまで延在しており、このストッパー８ａにより湾曲金具７ａの外側ブーム１周方向への移動を阻止できるようになっている。
【００４１】
なお、上記実施例では、外側ブーム先端下部スライド支持装置を、外側ブーム１の下部構成板材１ａにおける左右の弧状屈曲部１ａ−２，１ａ−２と、対応する内側ブーム２の下部構成板材２ａの左右の弧状屈曲部２ａ−２，２ａ−２との間にそれぞれ配置したものについて、その一方の外側ブーム先端下部スライド支持装置について説明したが、他方も同一構造である。また、外側ブーム１と内側ブーム２のＵ字状の下部形状の全域を覆う単一の外側ブーム先端支持装置としてもよいこと勿論である。
【産業上の利用可能性】
【００４２】
この発明に係る移動式クレーン等の伸縮ブームにおける外側ブーム先端下部スライド支持装置は、移動式クレーンあるいは高所作業車に用いられる伸縮ブーム、特に、外側ブームおよび内側ブームが略Ｕ字状の下部形状を持つ伸縮ブームに採用して、製作コストを低減できるという効果がある。
【図面の簡単な説明】
【００４３】
【図１】本発明に係る外側ブーム先端下部スライド支持装置を装備した伸縮ブームの側面図、
【図２】図１のＡ−Ａ矢視断面拡大図、
【図３】図１の外側ブーム先端部の拡大断面図、
【図４】図３に示す外側ブーム先端部の分解図、
【図５】図３のＢ−Ｂ矢視断面拡大図、
【図６】スライドプレート単位体の平面図
【図７】スライドプレート単位体の側面図
【図８】スライドプレート単位体の先端端面図
【符号の説明】
【００４４】
１          外側ブーム
１ａ        下部構成板材
１ａ−１    中央水平平坦部
１ａ−２    弧状屈曲部（左右）
１ｂ        上部構成板材
１ｃ        補強カラー
２          内側ブーム
２ａ        下部構成板材
２ａ−１    中央水平平坦部
２ａ−２    弧状屈曲部（左右）
２ｂ        上部構成板材
３          外側ブーム先端下部スライド装置
４          スライドし手段
４ａ        スライドプレート単位体（多数）
４ａ−１    切り欠き部
５          移動規制具
６          先端側移動規制具
６ａ        取り付けボルト（複数）
７          基端側移動規制具
７ａ        湾曲金具
７ｂ        リテーナ
８          横側移動規制具
【図１】
2005255337.tif 000003
【図２】
2005255337.tif 000004
【図３】
2005255337.tif 000005
【図４】
2005255337.tif 000006
【図５】
2005255337.tif 000007
【図６】
2005255337.tif 000008
【図７】
2005255337.tif 000009
【図８】
2005255337.tif 000010